【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
複数のブロックを含む画像を、前記ブロック単位で符号化する画像符号化方法であって、
処理の対象となる処理対象ブロックの属性情報を取得する第１の取得工程と、
前記処理対象ブロックの画質を制御する第１のパラメータを取得する第２の取得工程と、
前記取得された属性情報と、他のブロックの属性情報とに基づいて、前記他のブロックに対応する第２のパラメータを決定する決定工程と、
前記取得された前記第１のパラメータと、前記第２のパラメータとの差分値を取得する第３の取得工程と、
取得された前記差分値を符号化する符号化工程と、
を備えることを特徴とする画像符号化方法。
【請求項２】
前記決定工程は、前記処理対象のブロックより前に符号化された、前記属性情報に対応する属性を有する前記他のブロックの、画質を制御するパラメータを、前記第２のパラメータとすることを特徴とする請求項１に記載の画像符号化方法。
【請求項３】
前記決定工程は、前記属性情報と同一又は近い属性を有する前記他のブロックに対応するパラメータを、前記第２のパラメータとすることを特徴とする請求項１又は請求項２に記載の画像符号化方法。
【請求項４】
前記決定工程は、前記属性情報と同一又は近い属性を有するブロックが複数存在する場合に、前記処理対象ブロックと空間的な距離が最も近い前記他のブロックに対応するパラメータを、前記第２のパラメータとすることを特徴とする請求項１乃至請求項３のいずれか一項に記載の画像符号化方法。
【請求項５】
前記決定工程は、前記属性情報と同一又は近い属性を有する複数のブロックの画質を制御するパラメータの、平均値又は中央値を前記第２のパラメータとすることを特徴とする請求項１乃至請求項４のいずれか一項に記載の画像符号化方法。
【請求項６】
前記決定工程は、前記属性情報と同一の属性を有するブロックのうち、最後に符号化された前記他のブロックに対応するパラメータを、前記第２のパラメータとすることを特徴とする請求項１乃至請求項５のいずれか一項に記載の画像符号化方法。
【請求項７】
前記第１の取得工程は、ブロックサイズ、予測モード、動きベクトル、イントラ予測における方向を示すイントラ予測方法のうち、少なくとも一つを含むことを特徴とする請求項１乃至請求項６のいずれか一項に記載の画像符号化方法。
【請求項８】
前記決定工程は、前記処理対象ブロックの周辺のブロックのうち、前記属性情報に対応する属性を有する前記他のブロックの画質を制御するパラメータを、前記第２のパラメータとすることを特徴とする請求項１乃至請求項７のいずれか一項に記載の画像符号化方法。
【請求項９】
前記決定工程は、前記処理対象ブロックの左、上、又は右上に隣接するブロックのうち、前記属性情報に対応する属性を有する前記他のブロックの画質を制御するパラメータを、前記第２のパラメータとすることを特徴とする請求項１乃至請求項８のいずれか一項に記載の画像符号化方法。
【請求項１０】
前記属性情報は、ブロックがインターブロックであるかイントラブロックであるかを示す予測モードを含み、
前記決定工程は、前記処理対象ブロックがインターブロックである場合に、前記処理対象ブロックの他のブロックのうち、インターブロックである前記他のブロックに対応するパラメータを、前記第２のパラメータとし、前記処理対象ロックがイントラブロックである場合に、前記処理対象ブロックの他のブロックのうち、イントラブロックである前記他のブロックに対応するパラメータを、前記第２のパラメータとすることを特徴とする請求項１乃至請求項９のいずれか一項に記載の画像符号化方法。
【請求項１１】
前記決定工程は、前記属性情報と同一又は近い属性を有するブロックがない場合に、前記処理対象ブロックの左のブロックの画質を制御するパラメータを前記第２のパラメータとして決定することを特徴とする請求項１乃至請求項１０のいずれか一項に記載の画像符号化方法。
【請求項１２】
さらに、前記処理対象ブロックの他のブロックが、前記属性情報と同一又は近い属性を有するブロックであるか、前記属性情報と同一又は近い属性を有さないブロックであるかに関する情報を取得する第４の取得工程を有し、
前記決定工程は、前記第４の取得工程において、前記処理対象ブロックの周囲のブロックが前記属性情報と同一又は近い属性を有さないブロックであることを示す情報を取得した場合に、前記処理対象ブロックの周囲のブロックの画質を制御する各パラメータと、前記第１のパラメータとの差分に基づいて、前記第２のパラメータを決定することを特徴とする請求項１乃至請求項１１のいずれか一項に記載の画像符号化方法。
【請求項１３】
前記属性情報は、ブロックの動きベクトルに関する情報を含み。
前記決定手段は、前記処理対象ブロックの他のブロックのうち、当該他のブロックに対応する動きベクトルと前記処理対象ブロックに対応する動きベクトルとの差の絶対値が、第１の所定値より小さい前記他のブロックに対応するパラメータを前記第２のパラメータとすることを特徴とする請求項１乃至請求項１２のいずれか一項に記載の画像符号化方法。
【請求項１４】
前記第２の取得工程は、前記処理対象ブロックを符号化した符号化データの符号量を予め設定された第２の所定値にするよう制御する前記第１のパラメータを取得することを特徴とする請求項１乃至請求項１３のいずれか一項に記載の画像符号化方法。
【請求項１５】
複数のブロックを含む画像を当該ブロック単位で符号化された符号化データを復号する画像復号方法であって、
前記符号化データのうち、処理の対象となる処理対象のブロックの属性情報に関する符号化データと、前記処理対象のブロックのパラメータと他のブロックとのパラメータの差分値に関する符号化データとを、復号する復号工程と、
前記復号された属性情報に基づいて、前記他のブロックの画質を制御する第１のパラメータを取得する第１の取得工程と、
前記第１の取得工程で取得された前記第１のパラメータと、前記復号工程で生成された前記差分値とから、前記処理対象ブロックの画質を制御する第２のパラメータを取得する第２の取得工程と、
を有することを特徴とする画像復号方法。
【請求項１６】
複数のブロックを含む画像を、前記ブロック単位で符号化する画像符号化装置であって、
処理の対象となる処理対象ブロックの属性情報を取得する第１の取得手段と、
前記処理対象ブロックの画質を制御する第１のパラメータを取得する第２の取得手段と、
前記取得された属性情報と、他のブロックの属性情報とに基づいて、前記他のブロックに対応する第２のパラメータを決定する決定手段と、
前記取得された前記第１のパラメータと、前記第２のパラメータとの差分値を取得する第３の取得手段と、
取得された前記差分値を符号化する符号化手段と、
を備えることを特徴とする画像符号化装置。
【請求項１７】
複数のブロックを含む画像を当該ブロック単位で符号化された符号化データを復号する画像復号装置であって、
前記符号化データのうち、処理の対象となる処理対象のブロックの属性情報に関する符号化データと、前記処理対象のブロックのパラメータと他のブロックとのパラメータの差分値に関する符号化データとを、復号する復号手段と、
前記復号された属性情報に基づいて、前記他のブロックの画質を制御する第１のパラメータを取得する第１の取得手段と、
前記第１の取得手段で取得された前記第１のパラメータと、前記復号手段で生成された前記差分値とから、前記処理対象ブロックの画質を制御する第２のパラメータを取得する第２の取得手段と、
を有することを特徴とする画像復号装置。
【請求項１８】
コンピュータを、請求項１６に記載の画像符号化装置の各手段として機能させるためのプログラム。
【請求項１９】
コンピュータを、請求項１７に記載の画像復号装置の各手段として機能させるためのプログラム。
【手続補正２】
【補正対象書類名】明細書
【補正対象項目名】００１０
【補正方法】変更
【補正の内容】
【００１０】
上述の課題を解決するため、本発明の画像符号化方法は以下の構成を有する。すなわち、複数のブロックを含む画像を、前記ブロック単位で符号化する画像符号化方法であって、処理の対象となる処理対象ブロックの属性情報を取得する第１の取得工程と、前記処理対象ブロックの画質を制御する第１のパラメータを取得する第２の取得工程と、前記取得された属性情報と、他のブロックの属性情報とに基づいて、前記他のブロックに対応する第２のパラメータを決定する決定工程と、前記取得された前記第１のパラメータと、前記第２のパラメータとの差分値を取得する第３の取得工程と、取得された前記差分値を符号化する符号化工程と、を備えることを特徴とする。
また、上述の課題を解決するため、本発明の画像復号方法は以下の構成を有する。すなわち、複数のブロックを含む画像を当該ブロック単位で符号化された符号化データを復号する画像復号方法であって、前記符号化データのうち、処理の対象となる処理対象のブロックの属性情報に関する符号化データと、前記処理対象のブロックのパラメータと他のブロックとのパラメータの差分値に関する符号化データとを、復号する復号工程と、前記復号された属性情報に基づいて、前記他のブロックの画質を制御する第１のパラメータを取得する第１の取得工程と、前記第１の取得工程で取得された前記第１のパラメータと、前記復号工程で生成された前記差分値とから、前記処理対象ブロックの画質を制御する第２のパラメータを取得する第２の取得工程と、を有することを特徴とする画像復号方法。